(57)【特許請求の範囲】
【請求項１】
引き形式の建具の障子下框に取り付けて使用され、下枠のレールに沿う車輪を支持する内枠を外枠内に収容し、前記内枠を前記外枠に対して相対移動させることにより前記車輪の前記障子下框に対する高さを調整する高さ調整機構を備えた取替用調整戸車であって、
前記外枠の障子厚み方向前後の側壁から外方へ伸び、前記障子下框の下面に形成された下方へ開口して障子開閉方向へ伸びる収容凹部内に収容された状態で弾性変形するガイド体を備えるとともに、前記外枠の障子開閉方向の前後に、前記収容凹部の上壁に添う取付フランジを突設してなり、
前記内枠を前記外枠に対して障子開閉方向へスライド可能に支持し、
前記内枠の障子厚み方向前後の側壁に、障子開閉方向へ行くにしたがって上若しくは下へ傾斜する方向又は垂直方向へ伸びる第１内側誘導溝を形成するとともに、前記外枠の障子厚み方向前後の側壁に、垂直方向又は障子開閉方向へ行くにしたがって上若しくは下へ傾斜する方向へ伸びる第１外側誘導溝を形成して、前記第１内側誘導溝及び第１外側誘導溝内に前記車輪の支軸を係合させ、
前記内枠の障子厚み方向前後の側壁に、障子開閉方向へ行くにしたがって上若しくは下へ傾斜する方向又は垂直方向へ伸びる第２内側誘導溝を形成するとともに、前記外枠の障子厚み方向前後の側壁に、垂直方向又は障子開閉方向へ行くにしたがって上若しくは下へ傾斜する方向へ伸びる第２外側誘導溝を形成して、前記第２内側誘導溝及び第２外側誘導溝内に操作軸体を係合させ、
該操作軸体に螺合する上下方向に長い調整ねじを、その頭部が下向きの状態で前記外枠に対して上下軸まわりに回動可能に支持し、
前記調整ねじを回動して前記操作軸体を昇降させ、前記内枠を前記外枠に対して障子開閉方向へ相対移動させて前記支軸を昇降させることにより前記車輪の前記障子下框に対する高さを調整することを特徴とする取替用調整戸車。
【請求項２】
前記第１内側誘導溝又は第１外側誘導溝が障子開閉方向から傾斜する角度よりも、前記第２内側誘導溝又は第２外側誘導溝が障子開閉方向から傾斜する角度を大きくしてなる請求項１記載の取替用調整戸車。
【発明の詳細な説明】
【技術分野】
【０００１】
本発明は、引き形式の建具の障子下框に取り付けて使用される高さ調整が可能な戸車に関わり、さらに詳しくは、障子下框に取り付けられた戸車をリフォーム等の際に取り替えるために使用される、様々な形状・大きさの障子下框に適用可能な戸車に関するものである。
【背景技術】
【０００２】
引き違いサッシ等の引き形式の建具の障子下框に取り付けて使用される高さ調整が可能な調整戸車として、車輪を軸支した内枠を外枠に対して障子開閉方向にスライド可能に支持し、外枠に形成した垂直方向に伸びる誘導溝及び内枠に形成した障子開閉方向に行くにしたがって上若しくは下に傾斜する方向に伸びる誘導溝で車輪軸を上下方向に案内し、障子開閉方向の調整ネジを回動操作して外枠に対して内枠を障子開閉方向にスライドさせることにより、車輪軸を前記誘導溝内で上下させて車輪の高さ調整を行うもの（例えば、特許文献１及び４参照。）、車輪を軸支した内枠を外枠に対して障子開閉方向に行くにしたがって上若しくは下に傾斜する方向へ平行移動可能に支持し、障子開閉方向の調整ネジを回動操作して内枠を前記方向へ平行移動させることにより車輪の高さ調整を行うもの（例えば、特許文献２参照。）、車輪を軸支した障子開閉方向に伸びる保持体を、その一端部の障子厚み方向軸まわりに揺動可能なように取付枠体により支持し、上下方向の調整ネジを回動操作して前記保持体の他端部を取付枠体に対して上下方向に移動させることにより、前記保持体を揺動させて車輪の高さ調整を行うもの（例えば、特許文献３参照。）、車輪を軸支した障子開閉方向に伸びる保持体を、その一端部を上下方向の第１の調整ネジを回動操作して外枠に対して昇降可能にするとともに、前記保持体の他端部を上下方向の第２の調整ネジを回動操作して外枠に対して昇降可能にすることにより、第１の調整ネジ及び第２の調整ネジの一方又は両方の回動操作により前記保持体を揺動させて車輪の高さ調整を行うもの（例えば、特許文献５参照。）等がある。
【０００３】
ここで、特許文献１の調整戸車の外枠は、障子下框の下隅に形成した取付凹部内に挿入した状態で、外枠の障子開閉方向の一側面や底面に設けたフランジ部のネジ挿通孔に取付ねじを挿入して障子下框に螺合することにより引戸に取り付けられ、特許文献２の調整戸車の外枠は、押出形材である障子下框に形成した小突条を利用して障子下框に取り付けられる。また、特許文献３の調整戸車の取付枠体は、本体部と、この本体部に基端の連結部のみで連結された拡張部とを備え、本体部と拡張部との間に下方に開口する楔形開口が形成されており、障子下框の下面に彫り込み形成されて下方にのみ開放する取付凹部に戸車を収納した状態で、取付枠体の下方から楔形開口及び連結部に形成された挿通孔を介してタッピングねじを障子下框の内奥面にねじ込み、拡張部の下方の自由端を外方へ回動するように変形させて取付枠体の長手方向の寸法を拡張することにより取付凹部の壁面間に取り付けられる。
これらに対して、特許文献４及び５の調整戸車には、その外枠に取り付けられた末広がり状バネ板からなる取付枠の下端折り返し片を障子下框の下端に掛止することにより障子下框に取り付ける構成（特許文献４の図１０〜図１４及び特許文献５の第５図参照。）や、その外枠に取り付けられた末広がり状バネ板からなる取付枠として両側面に弾性変形可能な係止突片を設けたものを用いて、その弾性反発力により障子下框に取り付ける構成の開示がある（特許文献５の第６図参照。）。
【先行技術文献】
【特許文献】
【０００４】
【特許文献１】実開平７−３５６７７号公報
【特許文献２】実公平５−１９４８８号公報
【特許文献３】登録実用新案第３０４６３８６号公報
【特許文献４】実公平１−３０５２５号公報
【特許文献５】実公平４−４３５６６号公報
【発明の概要】
【発明が解決しようとする課題】
【０００５】
以上のような従来の調整戸車において、特許文献１〜３の構成は、上述のように障子下框に形成した取付部（取付凹部又は小突条等）に合わせた取付構造によって障子下框に取り付けられることから、このような調整戸車は、引き形式の建具の障子下框に取り付けられた戸車が長期間使用されて磨耗や発錆等により障子の開閉が重くなっている場合に、様々な形状・大きさの障子下框に適用可能な取替用のものではない。
これらに対して特許文献４及び５の構成は、上述のように外枠に取り付けられた末広がり状バネ板からなる取付枠を介して障子下框に取り付けられることから、このような調整戸車は、引き形式の建具における既設戸車を取り外した後に、弾性変形する取付枠を利用して様々な形状・大きさの下框に容易に取り付けて使用することができる。
しかしながら、特許文献４及び５のような取替用調整戸車は、末広がり状バネ板からなる取付枠の下端折り返し片を障子下框の下端に掛止すること、又は、末広がり状バネ板からなる取付枠の弾性反発力により障子下框に押圧することによって障子下框に取り付ける構成であることから、比較的不安定な取付構造であるため、障子の開閉を繰り返すことにより障子下框から戸車が外れたり戸車が破損して障子の開閉が困難になる等の不具合が発生する場合がある。
【０００６】
そこで本発明が前述の状況に鑑み、解決しようとするところは、様々な形状・大きさの障子下框に容易に取り付けて使用することができる構成でありながら、障子下框に強固に取り付けられて長期間にわたって安定かつ確実に動作する取替用調整戸車を提供する点にある。
【課題を解決するための手段】
【０００７】
本発明に係る取替用調整戸車は、前記課題解決のために、引き形式の建具の障子下框に取り付けて使用され、下枠のレールに沿う車輪を支持する内枠を外枠内に収容し、前記内枠を前記外枠に対して相対移動させることにより前記車輪の前記障子下框に対する高さを調整する高さ調整機構を備えた取替用調整戸車であって、前記外枠の障子厚み方向前後の側壁から外方へ伸び、前記障子下框の下面に形成された下方へ開口して障子開閉方向へ伸びる収容凹部内に収容された状態で弾性変形するガイド体を備えるとともに、前記外枠の障子開閉方向の前後に、前記収容凹部の上壁に添う取付フランジを突設してなり、前記内枠を前記外枠に対して障子開閉方向へスライド可能に支持し、前記内枠の障子厚み方向前後の側壁に、障子開閉方向へ行くにしたがって上若しくは下へ傾斜する方向又は垂直方向へ伸びる第１内側誘導溝を形成するとともに、前記外枠の障子厚み方向前後の側壁に、垂直方向又は障子開閉方向へ行くにしたがって上若しくは下へ傾斜する方向へ伸びる第１外側誘導溝を形成して、前記第１内側誘導溝及び第１外側誘導溝内に前記車輪の支軸を係合させ、前記内枠の障子厚み方向前後の側壁に、障子開閉方向へ行くにしたがって上若しくは下へ傾斜する方向又は垂直方向へ伸びる第２内側誘導溝を形成するとともに、前記外枠の障子厚み方向前後の側壁に、垂直方向又は障子開閉方向へ行くにしたがって上若しくは下へ傾斜する方向へ伸びる第２外側誘導溝を形成して、前記第２内側誘導溝及び第２外側誘導溝内に操作軸体を係合させ、該操作軸体に螺合する上下方向に長い調整ねじを、その頭部が下向きの状態で前記外枠に対して上下軸まわりに回動可能に支持し、前記調整ねじを回動して前記操作軸体を昇降させ、前記内枠を前記外枠に対して障子開閉方向へ相対移動させて前記支軸を昇降させることにより前記車輪の前記障子下框に対する高さを調整することを特徴とする。
このような構成によれば、例えば建築から長期間が経過している住宅やマンション等において、引き形式の建具の障子下框に取り付けられた既設の戸車が長期間使用されて磨耗や発錆等により障子の開閉が重くなった際に、障子下框から既設の戸車を取り外し、障子下框の下面に形成された収容凹部内に取替用調整戸車を収容して上壁に前後の取付フランジを押し当てると、外枠の障子厚み方向前後の側壁から外方へ伸びるガイド体が弾性変形した状態になるため、障子下框に対する取替用調整戸車の障子厚み方向の位置決めが完了した状態で保持される。
【０００８】
このように障子下框に対する取替用調整戸車の障子厚み方向の位置決めが完了した状態で、タッピングねじや木ねじを取付フランジの通孔を通して収容凹部の上壁にねじ込むことにより、障子下框にねじ穴や下穴等の追加工をすることなく、取替用調整戸車を障子下框の障子開閉方向の適宜位置に容易に取り付けることができることから、障子下框の下面に収容凹部が形成されていれば取替用調整戸車を取り付けることができるため、様々な形状・大きさの障子下框に取替用調整戸車を容易に取り付けて使用することができる。
このようにタッピングねじや木ねじの螺着によって取替用調整戸車が障子下框に確実にかつ強固に取り付けられることから、末広がり状バネ板からなる取付枠の下端折り返し片を障子下框の下端に掛止する等の比較的不安定な取付構造である従来の取替用調整戸車のような不具合、すなわち障子の開閉を繰り返すことにより障子下框から戸車が外れたり戸車が破損して障子の開閉が困難になる等の不具合が発生することがない。
よって、既設の戸車と交換して障子下框に取り付けられた本発明に係る取替用調整戸車は長期間にわたって安定かつ確実に動作する。
【００１０】
その上、頭部が下向きの調整ねじを、その下方からドライバー等の工具を用いて回動させることにより、取替用調整戸車の車輪の高さを調整することができることから、様々な形状・大きさの障子下框に取り付けた状態の取替用調整戸車に対して必ずアクセスできる下方からの作業により車輪の高さ調整を行うことができる。
その上さらに、第１内側誘導溝及び第１外側誘導溝内に車輪の支軸を係合させ、第２内側誘導溝及び第２外側誘導溝内に操作軸体を係合させ、調整ねじにより操作軸体を操作して内枠を外枠に対して障子開閉方向へ相対移動させることにより、第１内側誘導溝及び第１外側誘導溝内の支軸を昇降させて車輪の高さ調整を行う構成であることから、第１内側誘導溝及び第１外側誘導溝並びに第２内側誘導溝及び第２外側誘導溝の上下方向長さを長くすることにより、車輪の高さ調整範囲（上下ストローク）を大きくすることが容易であるため、取替用調整戸車が適用可能な障子の範囲を拡大することができる。
【００１１】
また、前記第１内側誘導溝又は第１外側誘導溝が障子開閉方向から傾斜する角度よりも、前記第２内側誘導溝又は第２外側誘導溝が障子開閉方向から傾斜する角度を大きくしてなると好ましい。
このような構成によれば、第１内側誘導溝又は第１外側誘導溝が障子開閉方向から傾斜する角度よりも、第２内側誘導溝又は第２外側誘導溝が障子開閉方向から傾斜する角度が大きく、調整ねじにより操作された操作軸体の上下移動量よりも車輪の上下移動量が小さくなることから、操作入力側である操作軸体の上下移動に対して出力側の車輪の上下移動が減速されているため、より小さな操作力で操作することができるとともに、よりきめ細かな車輪の高さ調整が可能になる。
【発明の効果】
【００１２】
以上のように、本発明に係る取替用調整戸車によれば、交換が必要な既設の戸車を取り外し、障子下框の下面に形成された収容凹部内に取替用調整戸車を収容して上壁に前後の取付フランジを押し当てると、弾性変形したガイド体により障子厚み方向の位置決めが完了した状態で保持され、取付フランジの通孔を利用してタッピングねじや木ねじを取付フランジの通孔を通して収容凹部の上壁にねじ込むことにより障子下框に強固に取り付けられるため、様々な形状・大きさの障子下框に容易に取り付けて使用することができるとともに、長期間にわたって安定かつ確実に動作するという顕著な効果を奏する。
【図面の簡単な説明】
【００１３】
【図１】本発明の実施の形態に係る取替用調整戸車を障子下框に取り付けた状態を示しており、（ａ）は縦断正面図、（ｂ）は（ａ）の矢視Ｘ−Ｘ断面図である。
【図２】同じく取替用調整戸車であり、（ａ）は斜視図、（ｂ）は平面図である。
【図３】同じく取替用調整戸車の分解斜視図である。
【図４】同じく取替用調整戸車の正面図であり、（ａ）は障子下框に対する車輪の高さが高い状態を、（ｂ）は障子下框に対する車輪の高さが低い状態を示している。
【発明を実施するための形態】
【００１４】
本明細書において、下枠のレールＣに沿って障子下框Ｂが移動する方向を障子開閉方向（図１（ａ）中の矢印Ｈ１参照。）といい、障子開閉方向と直交する水平方向を障子厚み方向（図１（ｂ）中の矢印Ｈ２参照。）といい、障子厚み方向から見た図を正面図とする。
【００１５】
図１に示すように、本発明の実施の形態に係る取替用調整戸車１は、例えば建築から長期間が経過している住宅やマンション等において、引き形式の建具Ａの障子下框Ｂの下面に形成された下方に開口して障子開閉方向に伸びる収容凹部Ｄ内に収容された状態で障子下框Ｂに取り付けられた既設の戸車が長期間使用されて磨耗や発錆等により障子の開閉が重くなった際に、既設の戸車を取り外して交換するものであり、下枠のレールＣに沿う車輪６を支持する内枠２を外枠３内に収容し、内枠２を外枠３に対して相対移動させることにより車輪６の障子下框Ｂに対する高さを調整する高さ調整機構を備えている。
また、外枠３の障子開閉方向の前後に、収容凹部Ｄの上壁Ｅに添う取付フランジ５，５が突設されるとともに、図１及び図２に示すように、外枠３の外側に、外枠３の障子厚み方向前後の側壁から外方へ伸び、収容凹部Ｄ内に収容された状態で弾性変形するガイド体４Ｂ，４Ｂ，…を備えたガイド体４が取り付けられる。
【００１６】
図３に示すように、内枠２は、下方に開口した障子開閉方向から見て略逆Ｕ字状の断面を有しており、内枠２の障子厚み方向前後の側壁の一方の上部には、障子開閉方向へ伸びる前後の長孔２Ｃ，２Ｃが形成され、内枠２の障子厚み方向前後の側壁には、障子開閉方向へ行くにしたがって上又は下へ傾斜する方向へ伸びる傾斜溝である第１内側誘導溝２Ａ，２Ａ及び第２内側誘導溝２Ｂ，２Ｂが形成される。
また、外枠３は、下方に開口する略箱状の形態を有しており、外枠３の障子厚み方向前後の側壁の一方の上部には、上部が内方へ傾斜した障子開閉方向前後のツメ３Ｃ，３Ｃが形成され、外枠３の障子厚み方向前後の側壁には、垂直溝である垂直方向（鉛直方向）へ伸びる第１外側誘導溝３Ａ，３Ａ及び第２外側誘導溝３Ｂ，３Ｂが形成され、一方の第２外側誘導溝３Ｂの下側には障子開閉方向へ伸びるスリット３Ｄが、他方の第２外側誘導溝３Ｂの下側には障子開閉方向前後の係合孔３Ｅ，３Ｅが形成される。
さらに、ガイド枠４の基体４Ａは、下方に開口した障子開閉方向から見て略逆Ｕ字状の断面を有しており、基体４Ａの障子厚み方向前後の側壁の一方の上部には、上部が内方へ傾斜した障子開閉方向前後のツメ４Ｃ，４Ｃが形成され、基体４Ａの障子開閉方向前後端縁から基体４Ａから遠ざかる障子開閉方向前後方向及び外方へ伸びる薄板状のガイド体４Ｂ，４Ｂ，…が一体に形成される（図２（ｂ）も参照。）。
【００１７】
次に、図３に示す部品を組み立てて図２に示す取替用調整戸車１を形成する方法について説明する。なお、以下の組立順序の一部は変更可能である。
図３において、外枠３の下方から内枠２を外枠３のツメ３Ｃ，３Ｃが内枠２の長孔２Ｃ，２Ｃ内に入る位置まで挿入することにより、外枠３の上壁とツメ３Ｃ，３Ｃにより内枠２の上下方向の移動が規制された状態となり、内枠２は外枠３によりガイドされて外枠３に対して障子開閉方向へスライド可能となる。
また、下枠２内に車輪６を収容し、支軸である段付きリベット７Ａを外枠３の一方の第１外側誘導溝３Ａ、内枠２の一方の第１内側誘導溝２Ａ、車輪６の通孔６Ａ、内枠２の他方の内枠２の第１内側誘導溝２Ａ及び外枠３の他方の第１外側誘導溝３Ａに挿入してリベット７Ａの先端の小径部にワッシャ７Ｂを外嵌して軸端をかしめることにより、車輪６は内枠２及び外枠３により段付きリベット７Ａまわりに回転可能に支持される。
【００１８】
さらに、外枠３の一方の第２外側誘導溝３Ｂ、内枠２の第２内側誘導溝２Ｂ、２Ｂ及び外枠３の他方の第２外側誘導溝３Ｂに操作軸体８を挿入し、外枠３のスリット３Ｄに支持板１０を挿入して支持板１０先端の係合凸部１０Ｂ，１０Ｂを外枠３の係合孔３Ｅ，３Ｅに挿入し、支持板１０のねじ挿通孔１０Ａに、頭部９Ａが下向きの状態で下方から挿入した調整ねじ９のねじ部９Ｂを操作軸体８の螺孔８Ａに螺合する。
さらにまた、ガイド枠４の障子開閉方向前後のツメ４Ｃ，４Ｃを外枠３の障子開閉方向前後のツメ３Ｃ，３Ｃの位置に合わせるように、ガイド枠４を外枠３の上方から被せることによりガイド枠４を容易に外枠３に取り付けることができ、このようにして図２のような取替用調整戸車１を得ることができる。
【００１９】
次に、図２に示す取替用調整戸車１の障子下框Ｂへの取り付け方法等について説明する。
取替用調整戸車１の外枠３には、その障子開閉方向の前後に、図１に示す障子下框Ｂの収容凹部Ｄの上壁Ｅに添う取付フランジ５，５が突設されていることから、収容凹部Ｄ内に取替用調整戸車１を収容して上壁Ｅに障子開閉方向前後の取付フランジ５，５を押し当てると、外枠３の障子厚み方向前後の側壁から外方へ伸びるガイド体４Ｂ，４Ｂ，…が図１（ｂ）の障子厚み方向前後の側壁Ｆ，Ｆの内面に当接して弾性変形した状態になるため、障子下框Ｂに対する取替用調整戸車１の障子厚み方向の位置決めが完了した状態で保持される。
【００２０】
このように障子下框Ｂに対する取替用調整戸車１の障子厚み方向の位置決めが完了した状態で、タッピングねじＧ，Ｇを取付フランジ５，５の通孔５Ａ，５Ａを通して収容凹部Ｄの上壁Ｅにねじ込むことにより、障子下框Ｂにねじ穴や下穴等の追加工をすることなく、取替用調整戸車１を障子下框Ｂの障子開閉方向の適宜位置に容易に取り付けることができることから、障子下框Ｂの下面に収容凹部Ｄが形成されていれば取替用調整戸車１を取り付けることができるため、様々な形状・大きさの障子下框Ｂに取替用調整戸車１を容易に取り付けることができる。
このようにタッピングねじＧ，Ｇの螺着によって取替用調整戸車１が障子下框Ｂに確実にかつ強固に取り付けられることから、末広がり状バネ板からなる取付枠の下端折り返し片を障子下框Ｂの下端に掛止する等の比較的不安定な取付構造である従来の取替用調整戸車のような不具合、すなわち障子の開閉を繰り返すことにより障子下框Ｂから戸車が外れたり戸車が破損して障子の開閉が困難になる等の不具合が発生することがない。
よって、既設の戸車と交換して障子下框Ｂに取り付けられた取替用調整戸車１は長期間にわたって安定かつ確実に動作する。
【００２１】
次に、車輪６の高さ調整方法等について説明する。
図４に示す取替用調整戸車１において、外枠３に対して上下軸まわりに回動可能に支持された調整ねじ９の頭部９Ａを、その下方からドライバー等の工具を用いて回動させ、内枠２の第２内側誘導溝２Ｂ、２Ｂ及び外枠３の第２外側誘導溝３Ｂ，３Ｂに係合する操作軸体８をこれらの溝内で上下させて内枠２を外枠３に対して障子開閉方向へ相対移動させることにより、第１内側誘導溝２Ａ及び第１外側誘導溝３Ａに係合する支軸（段付きリベット７Ａ）がこれらの溝内で上下する。
すなわち、図４（ａ）に示すように操作軸体８が内枠２の第２内側誘導溝２Ｂ、２Ｂ及び外枠３の第２外側誘導溝３Ｂ，３Ｂ内の上部に位置する場合は、車輪６の支軸は内枠２の第１内側誘導溝２Ａ、２Ａ及び外枠３の第１外側誘導溝３Ａ，３Ａ内の上部に位置し、図４（ｂ）に示すように操作軸体８が内枠２の第２内側誘導溝２Ｂ、２Ｂ及び外枠３の第２外側誘導溝３Ｂ，３Ｂ内の下部に位置する場合は、車輪６の支軸は内枠２の第１内側誘導溝２Ａ、２Ａ及び外枠３の第１外側誘導溝３Ａ，３Ａ内の下部に位置する。
【００２２】
よって、様々な形状・大きさの障子下框Ｂに取り付けた状態の取替用調整戸車１に対して必ずアクセスできる下方からの作業により車輪６の高さ調整を行うことができる。
また、第１内側誘導溝２Ａ及び第１外側誘導溝内３Ａに車輪６の支軸を係合させ、第２内側誘導溝２Ｂ及び第２外側誘導溝３Ｂ内に操作軸体８を係合させ、調整ねじ９により操作軸体８を操作して内枠２を外枠３に対して障子開閉方向へ相対移動させることにより、第１内側誘導溝２Ａ及び第１外側誘導溝３Ａ内の支軸を昇降させて車輪６の高さ調整を行う構成であることから、第１内側誘導溝２Ａ及び第１外側誘導溝３Ａ並びに第２内側誘導溝２Ｂ及び第２外側誘導溝３Ｂの上下方向長さを長くすることにより、車輪６の高さ調整範囲（上下ストローク）を大きくすることが容易であるため、取替用調整戸車１が適用可能な障子の範囲を拡大することができる。
【００２３】
ここで、図１及び図４に示すように、傾斜溝である第１内側誘導溝２Ａが障子開閉方向から傾斜する角度（約３５°）よりも傾斜溝である第２内側誘導溝２Ｂが障子開閉方向から傾斜する角度（約４５°）を大きくしていることから、調整ねじ９により操作された操作軸体８の上下移動量よりも車輪６（支軸である段付きリベット７Ａ）の上下移動量が小さくなる。
したがって、操作入力側である操作軸体８の上下移動に対して出力側の車輪６の上下移動が減速されているため、より小さな操作力で操作することができるとともに、よりきめ細かな車輪６の高さ調整が可能になる。
また、必要な車輪６の高さ調整範囲（例えば１０ｍｍ）を確保しながら第１内側誘導溝２Ａの傾斜角度（約３５°）を比較的小さく抑えており、車輪６の支軸が係合する傾斜溝である第１内側誘導溝２Ａの傾斜角度が比較的小さいため、上下方向の荷重に対する安定性が高い。
【００２４】
以上の説明においては、内枠２に傾斜溝（第１内側誘導溝２Ａ及び第２内側傾斜溝２Ｂ）を形成し、外枠３に垂直溝（第１外側誘導溝３Ａ及び第２外側傾斜溝３Ｂ）を形成する場合を示したが、内枠２に垂直溝を形成し、外枠３に傾斜溝を形成してもよい。
また、取替用調整戸車１をタッピングねじＧ，Ｇにより障子下框Ｂに取り付ける場合を示したが、障子が木製の場合は木ねじにより取替用調整戸車１を障子下框Ｂに取り付けることができる。
さらに、ガイド体４Ｂ，４Ｂ，…は、図２及び図３のような基体４Ａの障子開閉方向前後端縁から基体４Ａから遠ざかる障子開閉方向前後方向及び外方へ伸びる薄板状のものに限定されるものではなく、障子下框Ｂの収容凹部Ｄ内に収容された状態で弾性変形して障子下框Ｂに対する取替用調整戸車１の障子厚み方向の位置決めをすることができる弾性体であればよい。
【符号の説明】
【００２５】
Ａ  引き形式の建具
Ｂ  障子下框
Ｃ  下枠のレール
Ｄ  収容凹部
Ｅ  上壁
Ｆ  側壁
Ｇ  タッピングねじ
Ｈ１  障子開閉方向
Ｈ２  障子厚み方向
１  取替用調整戸車
２  内枠
２Ａ  第１内側誘導溝
２Ｂ  第２内側誘導溝
２Ｃ  長孔
３  外枠
３Ａ  第１外側誘導溝
３Ｂ  第２外側誘導溝
３Ｃ  ツメ
３Ｄ  スリット
３Ｅ  係合孔
４  ガイド枠
４Ａ  基体
４Ｂ  ガイド体
４Ｃ  ツメ
５  取付フランジ
５Ａ  通孔
６  車輪
６Ａ  通孔
７Ａ  段付きリベット（支軸）
７Ｂ  ワッシャ
８  操作軸体
８Ａ  螺孔
９  調整ねじ
９Ａ  頭部
９Ｂ  ねじ部
１０  支持板
１０Ａ  ねじ挿通孔
１０Ｂ  係合凸部
【図１】
0005682345.tif 000002
【図２】
0005682345.tif 000003
【図３】
0005682345.tif 000004
【図４】
0005682345.tif 000005